【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
開始位置をシフトさせることで直交される信号系列を用いて上りリファレンス信号を生成するリファレンス信号生成部と、
前記上りリファレンス信号を複数のアンテナポート毎にサイクリックシフトさせて、前記複数のアンテナポートに対応した前記上りリファレンス信号を前記複数のアンテナポート間で直交するサイクリックシフト部と、
複数の上りリファレンス信号を複数のユーザ間で直交させるための直交コードが無線基地局装置から通知され、当該直交コードを複数の上りリファレンス信号に掛け合わせる拡散部と、
前記サイクリックシフト部によってアンテナポート間で直交化され、かつ前記拡散部によってユーザ間で直交化された複数の上りリファレンス信号を、複数のアンテナポートを介して前記無線基地局装置に上りリンクで送信する送信部と、
を備え、
前記サイクリックシフト部は、前記無線基地局装置から通知される直交コードに応じた、複数のアンテナポートに対するサイクリックシフト値の割当パターン、に基づいて、複数の上りリファレンス信号をサイクリックシフトすることを特徴とする移動端末装置。
【請求項２】
前記サイクリックシフト部は、基準となるアンテナポートに対するサイクリックシフト値と、複数のユーザ間で直交するように前記上りのリファレンス信号を拡散する直交コードとを前記無線基地局装置から通知され、前記直交コードに基づいて前記複数のアンテナポート毎に、前記複数のアンテナポートに対するサイクリックシフト値の割当パターンを選択し、当該割当パターンにおいて基準となるアンテナポートのサイクリックシフト値を基準として前記複数のアンテナポートに対して割り当てられるサイクリックシフト値に基づいてサイクリックシフトすることを特徴とする請求項１に記載の移動端末装置。
【請求項３】
前記サイクリックシフト部は、前記直交コードに基づいて前記複数のアンテナポート毎に、前記複数のアンテナポートに対するサイクリックシフト値の割当パターンを選択すると共に、当該割当パターンにおいて基準となるアンテナポートのサイクリックシフト値を基準として、前記複数のアンテナポートに対してサイクリックシフト値を割り当てる複数の設定条件のうち、前記無線基地局装置から取得した設定選択情報に示された設定条件、前記基準となるアンテナポートに対するサイクリックシフト値、前記拡散コードに基づいてサイクリックシフトすることを特徴とする請求項１に記載の移動端末装置。
【請求項４】
前記サイクリックシフト部は、前記無線基地局装置からサイクリックシフト値を取得し、前記サイクリックシフト値に基づいてサイクリックシフトし、
前記拡散部は、前記無線基地局装置から取得されたサイクリックシフト値に対応づけられた直交コードを用いて前記リファレンス信号を拡散することを特徴とする請求項１に記載の移動端末装置。
【請求項５】
開始位置をシフトさせることで直交される信号系列を用いて上りリファレンス信号を生成するリファレンス信号生成部と、
前記上りリファレンス信号を複数のアンテナポート毎にサイクリックシフトさせて、前記複数のアンテナポートに対応した前記上りリファレンス信号を前記複数のアンテナポート間で直交するサイクリックシフト部と、
複数の上りリファレンス信号を複数のユーザ間で直交させるための直交コードが無線基地局装置から通知され、当該直交コードを複数の上りリファレンス信号に掛け合わせる拡散部と、
前記サイクリックシフト部によってアンテナポート間で直交化され、かつ前記拡散部によってユーザ間で直交化された複数の上りリファレンス信号を、複数のアンテナポートを介して前記無線基地局装置に上りリンクで送信する送信部と、
を備えたことを特徴とする移動端末装置。
【請求項６】
前記サイクリックシフト部は、基準となるアンテナポートに対するサイクリックシフト値と、前記複数のアンテナポートのそれぞれに対して等間隔に割り当てられるサイクリックシフト値の差分値とを前記無線基地局装置から取得し、基準となる前記サイクリックシフト値および前記差分値に基づいてサイクリックシフトすることを特徴とする請求項５に記載の移動端末装置。
【請求項７】
前記サイクリックシフト部は、前記複数のアンテナポートに対するサイクリックシフト値の複数の割当パターンのうち、前記無線基地局装置から取得したパターン情報に示された割当パターンに基づいてサイクリックシフトすることを特徴とする請求項５に記載の移動端末装置。
【請求項８】
前記サイクリックシフト部は、予め設定された前記複数のアンテナポートに対するサイクリックシフト値の割当パターンに基づいてサイクリックシフトすることを特徴とする請求項５に記載の移動端末装置。
【請求項９】
周波数単位を構成する複数の周波数エレメントを一定の規則で複数のユーザに割り当てる割当情報を前記無線基地局装置から取得し、前記割当情報に基づく前記周波数エレメントの割当により、前記上りリファレンス信号を前記複数のユーザ間で直交する割当部を備えたことを特徴とする請求項５に記載の移動端末装置。
【請求項１０】
前記割当情報は、前記周波数単位で多重されるユーザ多重数および一定の規則における割当順序を示す順序情報であることを特徴とする請求項９に記載の移動端末装置。
【請求項１１】
前記割当部は、前記ユーザ多重数を上位レイヤで取得し、前記順序情報を下位レイヤで取得することを特徴とする請求項１０に記載の移動端末装置。
【請求項１２】
前記割当情報は、前記周波数単位で多重されるユーザ多重数であり、
前記割当部は、前記ユーザ多重数および前記無線基地局装置から取得したサイクリックシフト値に対応した一定の規則における割当順序に基づいて前記周波数エレメントを割り当てることを特徴とする請求項９に記載の移動端末装置。
【請求項１３】
開始位置をシフトさせることで直交される信号系列を用いて生成された、複数のアンテナポートに対応した、複数の上りリファレンス信号を、移動端末装置の複数のアンテナポート毎にサイクリックシフトさせて、当該複数の上りリファレンス信号を前記複数のアンテナポート間で直交させるサイクリックシフト情報を生成するサイクリックシフト情報生成部と、
複数の上りリファレンス信号を複数のユーザ間で直交させるための直交コード情報を前記移動端末装置に対して生成する拡散コード生成部と、
前記サイクリックシフト情報及び直交コード情報を前記移動端末装置に下りリンクで送信する送信部と、
を備え、
前記サイクリックシフト情報は、前記移動端末装置の複数のアンテナポートに対するサイクリックシフト値の割当パターンであり、前記移動端末装置に対して生成した拡散コードに応じて選択される、
ことを特徴とする無線基地局装置。
【請求項１４】
前記サイクリックシフト情報は、複数のユーザ間で直交するように前記上りのリファレンス信号を拡散させると共に、前記複数のアンテナポート毎に前記複数のアンテナポートに対するサイクリックシフト値の割当パターンを選択させる直交コード、および当該割当パターンにおいて前記移動端末装置の複数のアンテナポートに対するサイクリックシフト値の割当の基準となるアンテナポートに対するサイクリックシフト値であることを特徴とする請求項１３に記載の無線基地局装置。
【請求項１５】
前記サイクリックシフト情報は、前記直交コードに基づいて前記移動端末装置の複数のアンテナポート毎に、前記複数のアンテナポートに対するサイクリックシフト値の割当パターンを選択すると共に、当該割当パターンにおいて前記基準となるアンテナポートのサイクリックシフト値を基準として、前記複数のアンテナポートに対してサイクリックシフト値を割り当てる複数の設定条件のうち一の設定条件を示す設定選択情報、前記直交コード、前記基準となるアンテナポートに対するサイクリックシフト値であることを特徴とする請求項１３に記載の無線基地局装置。
【請求項１６】
前記サイクリックシフト情報は、前記移動端末装置の複数のアンテナポート毎にサイクリックシフトさせるサイクリックシフト値であって、前記サイクリックシフト値は、複数のユーザ間で直交するように前記上りリファレンス信号を拡散する直交コードに対応づけられていることを特徴とする請求項１３に記載の無線基地局装置。
【請求項１７】
開始位置をシフトさせることで直交される信号系列を用いて生成された、複数のアンテナポートに対応した、複数の上りリファレンス信号を、移動端末装置の複数のアンテナポート毎にサイクリックシフトさせて、当該複数の上りリファレンス信号を前記複数のアンテナポート間で直交させるサイクリックシフト情報を生成するサイクリックシフト情報生成部と、
複数の上りリファレンス信号を複数のユーザ間で直交させるための直交コード情報を前記移動端末装置に対して生成する拡散コード生成部と、
前記サイクリックシフト情報及び直交コード情報を前記移動端末装置に下りリンクで送信する送信部と、
を備えたことを特徴とする無線基地局装置。
【請求項１８】
前記サイクリックシフト情報は、前記移動端末装置の基準となるアンテナポートに対するサイクリックシフト値および前記複数のアンテナポートのそれぞれに対して等間隔に割り当てられるサイクリックシフト値の差分値であることを特徴とする請求項１７に記載の無線基地局装置。
【請求項１９】
前記サイクリックシフト情報は、前記移動端末装置の前記複数のアンテナポートに対するサイクリックシフト値の複数の割当パターンのうち一の割当パターンを示すパターン情報であることを特徴とする請求項１７に記載の無線基地局装置。
【請求項２０】
周波数単位を構成する複数の周波数エレメントを一定の規則で複数のユーザに割り当てることにより前記上りリファレンス信号を前記複数のユーザ間で直交させる割当情報を生成する割当情報生成部を備え、
前記送信部は、前記割当情報を前記移動端末装置に下りリンクで送信することを特徴とする請求項１７に記載の無線基地局装置。
【請求項２１】
前記割当情報は、前記周波数単位で多重されるユーザ多重数および一定の規則における割当順序を示す順序情報であることを特徴とする請求項２０に記載の無線基地局装置。
【請求項２２】
前記送信部は、前記ユーザ多重数を上位レイヤで送信し、前記順序情報を下位レイヤで送信することを特徴とする請求項２１に記載の無線基地局装置。
【請求項２３】
移動端末装置が、開始位置をシフトさせることで直交される信号系列を用いて上りリファレンス信号を生成するステップと、
前記上りリファレンス信号系列を複数のアンテナポート毎にサイクリックシフトさせて、前記複数のアンテナポートに対応した前記上りリファレンス信号を前記複数のアンテナポート間で直交するステップと、
複数の上りリファレンス信号を複数のユーザ間で直交させるための直交コードが無線基地局装置から通知され、当該直交コードを複数の上りリファレンス信号に掛け合わせるステップと、
サイクリックシフトによってアンテナポート間で直交化され、かつ直交コードによってユーザ間で直交化された複数の上りリファレンス信号を、複数のアンテナポートを介して前記無線基地局装置に上りリンクで送信するステップと、
を備え、
前記無線基地局装置から通知される直交コードに応じた、複数のアンテナポートに対するサイクリックシフト値の割当パターン、に基づいて、複数の上りリファレンス信号をサイクリックシフトすることを特徴とする通信制御方法。
【請求項２４】
開始位置をシフトさせることで直交される信号系列を用いて生成された、複数のアンテナポートに対応した、複数の上りリファレンス信号を、移動端末装置の複数のアンテナポート毎にサイクリックシフトさせて、当該複数の上りリファレンス信号を前記複数のアンテナポート間で直交させるサイクリックシフト情報を生成するステップと、
複数の上りリファレンス信号を複数のユーザ間で直交させるための直交コード情報を前記移動端末装置に対して生成するステップと、
前記サイクリックシフト情報及び直交コード情報を前記移動端末装置に下りリンクで送信するステップと、
を備え、
前記サイクリックシフト情報は、前記移動端末装置の複数のアンテナポートに対するサイクリックシフト値の割当パターンであり、前記移動端末装置に対して生成した拡散コードに応じて選択される、
ことを特徴とする通信制御方法。
【手続補正２】
【補正対象書類名】明細書
【補正対象項目名】０００７
【補正方法】変更
【補正の内容】
【０００７】
本発明の移動端末装置は、開始位置をシフトさせることで直交される信号系列を用いて上りリファレンス信号を生成するリファレンス信号生成部と、前記上りリファレンス信号を複数のアンテナポート毎にサイクリックシフトさせて、前記複数のアンテナポートに対応した前記上りリファレンス信号を前記複数のアンテナポート間で直交するサイクリックシフト部と、複数の上りリファレンス信号を複数のユーザ間で直交させるための直交コードが無線基地局装置から通知され、当該直交コードを複数の上りリファレンス信号に掛け合わせる拡散部と、前記サイクリックシフト部によってアンテナポート間で直交化され、かつ前記拡散部によってユーザ間で直交化された複数の上りリファレンス信号を、複数のアンテナポートを介して前記無線基地局装置に上りリンクで送信する送信部と、を備え、前記サイクリックシフト部は、前記無線基地局装置から通知される直交コードに応じた、複数のアンテナポートに対するサイクリックシフト値の割当パターン、に基づいて、複数の上りリファレンス信号をサイクリックシフトすることを特徴とする。